(57)【要約】      （修正有）【課題】冷却装置のファンの回転数を、使用する場所の標高に応じて、自動制御する。【解決手段】冷却装置は、冷却用のファンと、該ファンを駆動するファン駆動回路４１６と、前記冷却装置の識別子に基づいて前記冷却装置の標高情報を取得し、該標高情報に基づいて前記ファン駆動回路４１６を制御する制御部４０２とを有する。【選択図】図２
2015015667.tif 000002
【特許請求の範囲】
【請求項１】
冷却装置であって、
ファンと、
該ファンを駆動するファン駆動回路と、
前記冷却装置の識別子に基づいて前記冷却装置の標高情報を取得し、該標高情報に基づいて前記ファン駆動回路を制御する制御部と
を有する冷却装置。
【請求項２】
前記制御部は、前記ファンの回転数を制御する、請求項１に記載の冷却装置。
【請求項３】
前記制御部は、前記冷却装置の識別子に基づいて前記冷却装置の位置情報を取得し、
該位置情報に基づいて標高情報を取得する、請求項１又は２に記載の冷却装置。
【請求項４】
前記制御部は、識別子を割り当てる第１のサーバから前記冷却装置の識別子を取得する、請求項１ないし３のいずれか１項に記載の冷却装置。
【請求項５】
前記制御部は、識別子に対応する位置情報を応答する第２のサーバから前記冷却装置の位置情報を取得する、請求項１ないし４のいずれか１項に記載の冷却装置。
【請求項６】
前記制御部は、位置情報に対応する標高情報を応答する第３のサーバから前記冷却装置の標高情報を取得する、請求項１ないし５のいずれか１項に記載の冷却装置。
【請求項７】
冷却装置における冷却制御方法であって、
前記冷却装置の識別子に基づいて前記冷却装置の標高情報を取得し、
該標高情報に基づいてファンを駆動するファン駆動回路を制御する、
冷却制御方法。
【発明の詳細な説明】
【技術分野】
【０００１】
本発明は、冷却装置に関する。
【背景技術】
【０００２】
プロジェクターは、透過型液晶装置（液晶パネル）あるいはDLP（登録商標）(Digital Light Processing)に光源からの光を照射することにより、スクリーンに画像を投射する。
【０００３】
スクリーン上に投射する画像の高輝度化を測るため、光源として高輝度ランプを使用することが多い。高輝度ランプは、発熱量が高いため、ランプ、液晶パネルあるいはDLPを保護するために冷却装置を使用する。冷却装置を使用する際には、プロジェクターを使用する場所の標高により冷却用ファンの回転数を変更する。
【発明の概要】
【発明が解決しようとする課題】
【０００４】
冷却用ファンの回転数を変更する際には、メニューにて、標高に合ったモードにユーザが設定するものが多い。高度計を内蔵したプロジェクターも提案されているがコストアップになるため普及していない。
【０００５】
メニューにて、標高に合ったモードに設定する場合には、ユーザはプロジェクターを使用している標高を把握して、メニューから適切なモードを指定する。プロジェクターを使用している標高を把握して、メニューから適切なモードを指定するのは煩雑な作業であり簡単ではない。
【０００６】
そこで、本発明は、標高に応じて、冷却制御することを目的とする。
【課題を解決するための手段】
【０００７】
開示の一実施例の冷却装置は、
冷却装置であって、
ファンと、
該ファンを駆動するファン駆動回路と、
前記冷却装置の識別子に基づいて前記冷却装置の標高情報を取得し、該標高情報に基づいて前記ファン駆動回路を制御する制御部と
を有する。
【発明の効果】
【０００８】
開示の実施例によれば、標高に応じて、冷却制御することができる。
【図面の簡単な説明】
【０００９】
【図１】通信システムの一実施例を示す図である。
【図２】投影装置の一実施例を示す図である。
【図３】投影装置の一実施例を示す機能ブロック図である。
【図４】ファン制御テーブルの一実施例を示す図である。
【図５】投影装置の動作の一実施例を示すフローチャートである。
【図６】ファン制御テーブルの一実施例を示す図である。
【発明を実施するための形態】
【００１０】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１１】
＜実施例＞
＜通信システム＞
図１は、通信システムの一実施例を示す。
【００１２】
通信システムの一実施例は、第１のサーバ１００と、第２のサーバ２００と、第３のサーバ３００と、投影装置４００とを備える。第１のサーバ１００と、第２のサーバ２００と、第３のサーバ３００と、投影装置４００は、通信網５０を介して接続される。
【００１３】
第１のサーバ１００は、IPアドレスなどの識別子を自動的に割り当てるDHCP(Dynamic Host Configuration Protocol)サーバなどのサーバである。第１のサーバ１００は、投影装置４００からのIPアドレスの割り当て要求に応じて、該投影装置４００にIPアドレスを割り当てる。
【００１４】
第２のサーバ２００は、IPアドレスをパラメータとして、該IPアドレスに対応する位置情報を応答する。第２のサーバ２００の一実施例は、IP Location Finderである。IP Location Finderは、IPアドレスから住所などの位置情報を特定する。
【００１５】
第３のサーバ３００は、位置情報をパラメータとして、該位置情報に対応する標高情報を応答する。
【００１６】
投影装置４００は、光源から射出された光束を画像情報に応じて変調し、拡大投射する。投影装置４００は、冷却装置５００を有する。
【００１７】
冷却装置５００は、第１のサーバ１００との間で通信することにより、IPアドレスを取得する。冷却装置５００は、第１のサーバ１００へIPアドレスの割当てを要求し、該第１のサーバ１００から送信されるIPアドレスを取得する。
【００１８】
冷却装置５００は、第２のサーバ２００へIPアドレスを送信し、該第２のサーバ２００から送信される位置情報を取得する。冷却装置５００は、第３のサーバ３００へ、第２のサーバ２００から取得した位置情報を送信し、該第２のサーバ２００から送信される標高情報を取得する。
【００１９】
冷却装置５００は、第３のサーバ３００から取得した標高情報に基づいて、冷却用ファンを制御する。冷却装置５００の一実施例は、冷却用ファンの回転数を制御する。
【００２０】
通信システムの一実施例では、冷却装置５００を搭載する装置の一例として、投影装置（プロジェクタ）が示されるが、PCなどの発熱部材を有する情報処理装置にも適用できる。
【００２１】
＜投影装置４００＞
図２は、投影装置４００の一実施例を示す。
【００２２】
投影装置４００は、制御部４０２と、操作パネル４０４と、スケーラ４０６と、投影画像作成メモリ４０８と、投影光変換デバイス４１０と、レンズ４１２と、インターフェース（I/F）４１４と、ファン駆動回路４１６と、第１のファン４１８、第２のファン４２０、第３のファン４２２とを備える。制御部４０２と、インターフェース（I/F）４１４と、ファン駆動回路４１６と、第１のファン４１８、第２のファン４２０、第３のファン４２２により冷却装置５００が構成される。図２には、第１のファン４１８、第２のファン４２０、第３のファン４２２の３個のファンが示されるが一例であり、１−２個であってもよいし、４個以上であってもよい。
【００２３】
制御部４０２は、I/F４１４を介して、第１のサーバ１００との間で通信する制御を実行し、IPアドレスを取得する制御を実行する。制御部４０２は、I/F４１４から第２のサーバ２００へ、第１のサーバ１００から取得したIPアドレスを送信し、該第２のサーバ２００からIPアドレスの応答として送信される位置情報を取得する制御を実行する。制御部４０２は、第３のサーバ３００へ、第２のサーバ２００から取得した位置情報を送信し、該第３のサーバ３００から位置情報の応答として送信される標高情報を取得する。
【００２４】
制御部４０２は、第３のサーバ３００から取得した標高情報に基づいて、冷却用ファン（第１のファン４１８、第２のファン４２０、第３のファン４２２）の回転数を制御する。
【００２５】
操作パネル４０４は、制御部４０２と接続される。操作パネル４０４は、投影装置４００の起動・調整操作を行うためのパネルである。操作パネル４０４は、起動スイッチ、画像・音声等の調整スイッチなどの操作スイッチを備える。投影装置４００による投写の際には、操作パネル４０４の調整スイッチ等を操作することにより、画質・音量等の調整を行うことができる。
【００２６】
スケーラ４０６は、制御部４０２と接続される。スケーラ４０６は、投影装置４００へ入力される画像に対して、該画像の解像度を上げたり、下げたりする処理を実行する。スケーラ４０６は、投影光変換デバイス４１０で形成される光学像を制御する。例えば、操作パネル４０４の画質調整ボタンを操作することによる画質調整信号や、入力される画像に基づいて、投影光変換デバイス４１０で形成させる画像の表示制御を行う。
【００２７】
投影画像作成メモリ４０８は、スケーラ４０６と接続される。投影画像作成メモリ４０８は、スケーラ４０６により解像度を上げたり、下げたりする処理がされた画像を格納する。
【００２８】
投影光変換デバイス４１０は、投影画像作成メモリ４０８と接続される。投影光変換デバイス４１０は、光源から射出された光束を画像情報に応じて変調して光学像を形成する。投影光変換デバイス４１０は、レンズ４１２を介してスクリーン上に投写画像を形成する。
【００２９】
レンズ４１２は、投影光変換デバイス４１０により光源から射出された光束を画像情報に応じて変調形成された光学像を拡大投写する。つまり、レンズ４１２は、投写光学系としての機能を有する。レンズ４１２は、筒状体内部に複数のレンズが収納された組レンズとして構成される。
【００３０】
I/F４１４は、制御部４０２と接続される。I/F４１４は、投影装置４００と通信網５０との間のインターフェースである。I/F４１４は、無線により通信網５０へ接続するようにしてもよいし、有線により通信網５０へ接続するようにしてもよい。
【００３１】
ファン駆動回路４１６は、制御部４０２と接続される。ファン駆動回路４１６は、制御部４０２による制御に従って、第１のファン４１８、第２のファン４２０、第３のファン４２２を駆動する。
【００３２】
第１のファン４１８、第２のファン４２０、第３のファン４２２は、ファン駆動回路４１６と接続される。第１のファン４１８、第２のファン４２０、第３のファン４２２は、投影装置４００を冷却するためのファンである。具体的には、第１のファン４１８、第２のファン４２０、第３のファン４２２は、投影光変換デバイス４１０などの光学装置を冷却する。また、第１のファン４１８、第２のファン４２０、第３のファン４２２は、電源装置（図示なし）を冷却する。
【００３３】
投影装置４００は、投影光変換デバイス４１０などの光学装置や電源装置の過熱状態を検出するために、サーミスタなどのセンサからなる温度検出センサ（図示なし）が設けられる。具体的には、光学装置の温度を検出するための温度検出センサは、冷却空気の流れにおいて、光学装置の下流側に設けられ、光学装置を冷却した空気の温度を検出する。一方、光源装置の温度を検出するための温度検出センサは、光源装置が収納されるライトガイド（図示なし）の部分で、光源装置から排気ファン（図示なし）に向かう空気の流れにおいて、光源装置の下流側に設けられ、同様に光源装置やライトガイド内部の光学部品を冷却した空気の温度を検出する。
【００３４】
温度検出センサは、上述した例に限らず、投影装置４００の内部で過熱すると問題のある光学部品の近傍や、過熱しやすい場所等の位置に適宜の数だけ設けることもできる。
【００３５】
＜投影装置４００の機能＞
図３は、投影装置４００の一実施例を示す。
【００３６】
図３の機能ブロック図により表される機能は、主に、制御部４０２により実行される。つまり、制御部４０２は、IPアドレス取得部４０２２と、位置情報取得部４０２４と、標高情報取得部４０２６と、ファン制御部４０２８として機能する。また、制御部４０２は、ファン制御テーブル４０３０を有する。
【００３７】
制御部４０２は、CPUにより実現されてもよい。また、制御部４０２は、マイクロコントローラユニットにより実現されてもよい。
【００３８】
制御部４０２の内部に記憶されたアプリケーション（ファームウェア）に従ってマイクロコントローラユニットにより、IPアドレス取得部４０２２と、位置情報取得部４０２４と、標高情報取得部４０２６と、ファン制御部４０２８としての機能が実行されるのが好ましい。
【００３９】
また、記憶部（図示無し）に記憶されたアプリケーションに従ってマイクロコントローラユニット１０２により、IPアドレス取得部４０２２と、位置情報取得部４０２４と、標高情報取得部４０２６と、ファン制御部４０２８としての機能が実行されてもよい。
【００４０】
CPUは、IPアドレス取得部４０２２として機能する。IPアドレス取得部４０２２は、I/F４１４と接続される。IPアドレス取得部４０２２は、I/F４１４を介して、第１のサーバ１００との間で通信し、IPアドレスを取得する。IPアドレス取得部４０２２は、位置情報取得部４０２４へ、IPアドレスを入力する。
【００４１】
CPUは、位置情報取得部４０２４として機能する。位置情報取得部４０２４は、I/F４１４と、IPアドレス取得部４０２２と接続される。位置情報取得部４０２４は、I/F４１４から第２のサーバ２００へ、IPアドレス取得部４０２２から取得したIPアドレスを送信し、該IPアドレスの応答として送信される位置情報を取得する。位置情報取得部４０２４は、標高情報取得部４０２６へ、位置情報を入力する。
【００４２】
CPUは、標高情報取得部４０２６として機能する。標高情報取得部４０２６は、I/F４１４と、位置情報取得部４０２４と接続される。標高情報取得部４０２６は、I/F４１４から第３のサーバ３００へ、位置情報取得部４０２４から取得した位置情報を送信し、該位置情報の応答として送信される標高情報を取得する。標高情報取得部４０２６は、ファン制御部４０２８へ、標高情報を入力する。
【００４３】
CPUは、ファン制御部４０２８として機能する。ファン制御部４０２８は、標高情報取得部４０２６と接続される。ファン制御部４０２８は、標高情報取得部４０２６からの標高情報に基づいて、ファンを制御する。具体的には、ファン制御部４０２８は、ファン制御テーブル４０３０を参照し、標高情報に対応するファンの回転数を設定する。
【００４４】
図４は、ファン制御テーブル４０３０の一実施例を示す。ファン制御テーブル４０３０は、ファン制御部４０２８と接続される。
【００４５】
ファン制御テーブル４０３０は、標高とファンの回転数とを対応付ける。標高が低い値から高い値になるに従って、ファンの回転数は低回転から高回転となるように対応付ける。標高が高くなるに従って、空気が薄くなるため、ファンによる吸気量、排気量が十分に確保できず、投影装置４００の内部を十分に冷却することができないためである。従って、標高が高くなるに従って、ファンの回転数を高回転とする。
【００４６】
＜投影装置４００の動作＞
図５は、投影装置４００の動作の一実施例を示す。
【００４７】
図５は、主に、投影装置４００の冷却装置５００の動作を示す。図５に示される例では、投影装置４００は、空冷モードとして、高地モードと標準モードとの２つの空冷モードを有する。
【００４８】
図６は、ファン制御テーブルの一実施例を示す。
【００４９】
高地モードは投影装置４００の標高が高い場合に設定され、標準モードは高地モードに該当しない場合、つまり標高が低い場合に設定される。投影装置４００の一実施例では、標高が１５００メートル以上である場合に高地モードに設定され、１５００メートル未満である場合に標準モードに設定される。１５００メートルは一例であり適宜設定可能である。また、高地モードと標準モードは一例であり、３以上の空冷モードを有するようにしてもよい。
【００５０】
ステップＳ５０２では、投影装置４００は、第１のサーバ１００からIPアドレスを取得する。つまり、IPアドレス取得部４０２２は、第１のサーバ１００へIPアドレスを要求し、第１のサーバ１００からのIPアドレスを取得する。
【００５１】
ステップＳ５０４では、投影装置４００は、第２のサーバ２００へIPアドレスを送信し、応答として送信される位置情報を取得する。つまり、位置情報取得部４０２４は、第２のサーバ２００へIPアドレスを送信し、第２のサーバ２００からの位置情報を取得する。
【００５２】
ステップＳ５０６では、投影装置４００は、第３のサーバ３００へ位置情報を送信し、応答として送信される標高情報を取得する。つまり、標高情報取得部４０２６は、第３のサーバ３００へ位置情報を送信し、第３のサーバ３００からの標高情報を取得する。
【００５３】
ステップＳ５０８では、投影装置４００は、標高が１５００メートル以上であるか否かを判定する。つまり、ファン制御部４０２８は、標高情報取得部４０２６からの標高情報が１５００メートル以上であることを示すものであるか否かを判定する。
【００５４】
ステップＳ５１０では、投影装置４００は、標高が１５００メートル以上である場合、第１の候補の空冷モードを高地モードとする。つまり、ファン制御部４０２８は、標高が１５００メートル以上である場合、第１の候補の空冷モードを高地モードとする。
【００５５】
ステップＳ５１２では、投影装置４００は、標高が１５００メートル未満である場合、第１の候補の空冷モードを標準モードとする。つまり、ファン制御部４０２８は、標高が１５００メートル未満である場合、第１の候補の空冷モードを標準モードとする。
【００５６】
ステップＳ５１４では、投影装置４００は、第１の候補の空冷モードと標高を表示し、確認を促す。つまり、ファン制御部４０２８は、操作パネル４０４に第１の候補の空冷モードと標高を表示し、確認を促す。
【００５７】
標高情報に基づいて空冷モードを自動設定することも可能である。第１の候補の空冷モードと標高を表示し、確認を促すことにより、例えば、会社などでプロキシーサーバを使用し、同じIPアドレスが送信され、同じ標高情報が取得された場合に、空冷モードを設定することを確認させることができる。
【００５８】
ステップＳ５１６では、投影装置４００は、確認の入力があったか否かを判定する。つまり、ファン制御部４０２８は、確認の入力があったか否かを判定する。
【００５９】
ステップＳ５１８では、投影装置４００は、確認の入力があったと判定した場合、第１の候補の空冷モードを設定する。つまり、ファン制御部４０２８は、確認の入力があったと判定した場合、ファン駆動回路４１６へ第１の候補の空冷モードを設定する。
【００６０】
ステップＳ５２０では、投影装置４００は、確認の入力がないと判定した場合、第１の候補以外の空冷モードを設定する。つまり、ファン制御部４０２８は、確認の入力がないと判定した場合、ファン駆動回路４１６へ第１の候補以外の空冷モードを設定する。
【００６１】
ステップＳ５２２では、投影装置４００は、ステップＳ５１８又はステップＳ５２０で設定した空冷モードで、ファンを駆動する。つまり、ファン駆動回路４１６は、ファン制御部４０２８により設定された空冷モードで、第１のファン４１８、第２のファン４２０、第３のファン４２２を制御する。
【００６２】
投影装置４００の一実施例によれば、IPアドレスに基づいて標高情報を取得し、冷却装置のファンの回転数を制御できる。このため、ユーザに標高を把握させることなく、適切にファンの回転数を制御できる。
【００６３】
また、標高に応じてファンの回転数を制御する際に、最小の操作で、適切な回転数に設定できる。つまり、標高に応じて適切な空冷モードへの変更が促される。ユーザは、適切な空冷モードへの変更を行うか否かに応じて操作を行うことにより、空冷モードを変更できる。
【００６４】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００６５】
５０  通信網
１００  第１のサーバ
２００  第２のサーバ
３００  第３のサーバ
４００  投影装置
４０２  制御部
４０４  操作パネル
４０６  スケーラ
４０８  投影画像作成メモリ
４１０  投影光変換デバイス
４１２  レンズ
４１４  Ｉ／Ｆ
４１６  ファン駆動回路
４１８  第１のファン
４２０  第１のファン
４２２  第１のファン
５００  冷却装置
４０２２  IPアドレス取得部
４０２４  位置情報取得部
４０２６  標高情報取得部
４０２８  ファン制御部
４０３０  ファン制御テーブル
【先行技術文献】
【特許文献】
【００６６】
【特許文献１】特開２００４−１５７３５６号公報
【図１】
2015015667.tif 000003
【図２】
2015015667.tif 000004
【図３】
2015015667.tif 000005
【図４】
2015015667.tif 000006
【図５】
2015015667.tif 000007
【図６】
2015015667.tif 000008